(57)【要約】【課題】  本体前面に設けた吸込口が使用者の目に触れないようにして美観を高める一方、オープンパネルや専用フラップ等の開閉機構を不要としてコストを低減する空気調和機を提供することを目的とする。【解決手段】  上面に第一吸込口３を設け、前面下部に上下風向板を備えた吹出口４を設け、前記第一吸込口３と前記吹出口４とを結ぶ通風路に、熱交換器５と送風ファン６を設けてなる空気調和機において、本体前面の吹出口４の上方に、第二吸込口１１を設け、運転停止時に、上下風向板９の上端部で第二吸込口１１を覆うようにする。【選択図】図１
2011202896.tif 000002
【特許請求の範囲】
【請求項１】
上面に第一吸込口を設け、前面下部に上下風向板を備えた吹出口を設け、前記第一吸込口と前記吹出口とを結ぶ通風路に、熱交換器と送風ファンを設けてなる空気調和機において、
本体前面の前記吹出口の上方に第二吸込口を設け、運転停止時に、前記上下風向板の上端部で前記第二吸込口を覆うようにしたことを特徴とする空気調和機。
【請求項２】
前記上下風向板が前記第二吸込口を少許開放した際に、前記吹出口から吹出された空気は前記上下風向板に案内されて前記第二吸込口より吸込まれるようにしたことを特徴とする請求項１に記載の空気調和機。
【請求項３】
前記上下風向板が前記吹出口を覆った際に、前記上下風向板の背面に、前記吹出口と前記第二吸込口とを繋ぐ補助通風路が形成されてなることを特徴とする請求項１に記載の空気調和機。
【発明の詳細な説明】
【技術分野】
【０００１】
本発明は、空気調和機に関わり、より詳細には吸込口の構成に関するものである。
【背景技術】
【０００２】
昨今、空気調和機の意匠は、室内に調和する前面がフラットパネルになったものが好まれ、主に高級機種に採用されている。しかし、上面吸込口だけでは空気の吸込量が不足するため、吸込量を増やす工夫がされている。
【０００３】
例えば、従来の空気調和機３０は、図７に示すように、本体の上面に上面吸込口３１を設け、前面パネル３４に横長矩形状の前面吸込口３２を設けており、前面下部には、複数の上下風向板３３ａを備えた吹出口３３を設けている。上面吸込口３１及び前面吸込口３２と、吹出口３３とを繋ぐ通風路には、前面上部熱交換器３５ａと前面下部熱交換器３５ｂと後面上部熱交換器３５ｃとからなる熱交換器３５と送風ファン３６とが設けられており、上面吸込口３１及び前面吸込口３２から吸込まれた空気は、熱交換器３５で冷媒と熱交換され、送風ファン３６により吹出口３３から吹出されるようになっている。しかしながら、横長矩形状の前面吸込口３２が、暗い孔のように使用者の目に触れるため、空気調和機の美観を損ねていた。
【０００４】
そこでフラットな前面とするために、図８（Ａ）に示す空気調和機４０は、本体の上面に上面吸込口４３を設け、前面パネル４１の裏面に前面吸込口４４を設け、前面下部に複数の上下風向板４５ａを備えた吹出口４５を設けている。上面吸込口４３及び前面吸込口４４と、吹出口４５とを繋ぐ通風路には、前面上部熱交換器４６ａと前面下部熱交換器４６ｂと後面上部熱交換器４６ｃとからなる熱交換器４６と送風ファン４７とが設けられている。
【０００５】
上面吸込口４３と前面吸込口４４との間には、前面パネル４１の裏面に吸込通路４２が形成されており、吸込通路４２を介して吸込まれた空気は、矢印Ａで示すように、前面吸込口４４に吸込まれるようになっている。これにより、前面吸込口４４が使用者の目に触れず、空気調和機の前面はフラットな形状となり美観を高めている。
【０００６】
しかしながら、前面パネル４１の裏面に吸込通路４２を形成するスペースが必要となり、本体の前面側が厚くなるとともに、これに伴い本体の厚み寸法が増してしまうという問題があった。
【０００７】
更に、空気調和機本体の厚みを抑えるために、図８（Ｂ）に示す空気調和機５０は、本体の上面に上面吸込口５１を設け、本体前面に前面吸込口５２を設け、前面下部に複数の上下風向板５３ａを備えた吹出口５３を設けている。上面吸込口５１及び前面吸込口５２と、吹出口５３とを繋ぐ通風路には、前面上部熱交換器５４ａと前面下部熱交換器５４ｂと後面上部熱交換器５４ｃとからなる熱交換器５４と送風ファン５５とが設けられている。
【０００８】
また、本体の前面には、前面吸込口５２を開閉するオープンパネル５６が設けられている。同オープンパネル５６は下端に設けられた支軸５６ａにより前後回動自在に軸支されており、運転停止時は前面吸込口５２を閉じるが、運転時には、本体に設けられた駆動モータ５７とリンク機構５８とにより前方に移動して前面吸込口５２を開放するようになっている。これにより、前面吸込口５２が使用者の目に触れないようにして、空気調和機の美観を高めるとともに、上記した空気調和機４０のように、前面パネル４１の裏面に吸込通路４２を形成するスペースが不要となっている。
【０００９】
しかしながら、本体の前面に開閉可能なオープンパネル５６を設けると、同オープンパネル５６を駆動する駆動モータ５７とリンク機構５８等の駆動機構が必要となり、構造の複雑化とともにコストアップを招く一方、これら駆動機構を取付けるスペースが本体の前面側に必要となり、本体の奥行きが厚くなり、薄型のスッキリとした外観が得られない。
【００１０】
尚、他の従来例として、例えば特許文献１に示されている空気調和機は、本体前面下部に専用フラップにより開閉可能な下部吸込口を設けている。運転時、専用フラップは吹出口上端に備えた支軸により回動して下部吸込口を開放し、吹出された空気を案内する風向板の役割をして、吹出口から吹出された空気が下部吸込口に吸込まれるショートサーキット現象を防止するようになっている。しかしながら、専用フラップを駆動する駆動機構が本体前面に位置することで、使用者の目に触れ美観を損ねていた。また、ショートサーキット現象を防止することにより、熱交換器に付着した凝縮水を乾燥させる乾燥運転が難しかった。
【先行技術文献】
【特許文献】
【００１１】
【特許文献１】特開２００４−３６１０１１号（４頁、図１）
【発明の概要】
【発明が解決しようとする課題】
【００１２】
本発明は、上記問題点に鑑み、本体前面に設けた吸込口が使用者の目に触れないようにして美観を高める一方、オープンパネルや専用フラップ等の開閉機構を不要としてコストを低減する空気調和機を提供することを目的とする。
【課題を解決するための手段】
【００１３】
本発明は、上記課題を解決するため、上面に第一吸込口を設け、前面下部に上下風向板を備えた吹出口を設け、前記第一吸込口と前記吹出口とを結ぶ通風路に、熱交換器と送風ファンを設けてなる空気調和機において、本体前面の前記吹出口の上方に第二吸込口を設け、運転停止時に、前記上下風向板の上端部で、前記第二吸込口を覆うようにした構成となっている。
【００１４】
また、前記上下風向板が前記第二吸込口を少許開放した際に、前記吹出口から吹出された空気は前記上下風向板に案内されて前記第二吸込口より吸込まれるようにした
構成となっている。
【００１５】
また、前記上下風向板が前記吹出口を覆った際に、前記上下風向板の背面に、前記吹出口と前記第二吸込口とを繋ぐ補助通風路が形成されてなる
構成となっている。
【発明の効果】
【００１６】
請求項１の発明によれば、運転停止時に、上下風向板の上端部で第二吸込口で覆うようしたことにより、第二吸込口が視認されずに空気調和機の美観を高め、また新たな駆動機構が不要となりコストが低減し、駆動機構のスペースも不要となって本体の薄型化が図れるようになっている。
【００１７】
請求項２の発明によれば、上下風向板が前記第二吸込口を少許開放した際に、吹出口から吹出された空気は前記上下風向板に案内されて第二吸込口に吸込まれることにより、吹出口と第二吸込口の間で、意図的にショートサーキットを起こさせ、効率的に熱交換器乾燥運転を行える。
【００１８】
請求項３の発明によれば、上下風向板の背面に、吹出口と前記第二吸込口とを繋ぐ補助通風路が形成されることにより、上下風向板で吹出口を閉じた状態でも、効率的に熱交換器乾燥運転を行える。
【図面の簡単な説明】
【００１９】
【図１】本発明による第一実施例の空気調和機において運転停止状態を示す断面図である。
【図２】本発明による第一実施例の空気調和機において冷房運転時の空気の流れを説明す             る説明図である。
【図３】本発明による第一実施例の空気調和機において暖房運転時の空気の流れを説明す             る説明図である。
【図４】本発明による第一実施例の空気調和機において熱交換器乾燥運転時の空気の流れ             を説明する説明図である。
【図５】本発明による第二実施例の空気調和機において、熱交換器乾燥運転時の空気の流れ             を説明する説明図である。
【図６】本発明による第三実施例の空気調和機の説明図である。
【図７】従来の空気調和機を示す断面図である。
【図８】（Ａ）（Ｂ）共に従来の空気調和機を示す断面図である。
【発明を実施するための形態】
【００２０】
以下、本発明の実施の形態を、添付図面に基づいた実施例として詳細に説明する。
【実施例１】
【００２１】
本発明による空気調和機は、図１の断面図で示すように、ベース１と前面パネル２とからなる本体上面に第一吸込口３を、前面下部に吹出口４を設けており、後述するように、同吹出口４の上方に第二吸込口１１を設けている。また、図示はしていないが、吹出口４の側方には、複数のＬＥＤを備えた表示部と、リモコンからの赤外線信号を受信する受信部が設けられている。
【００２２】
第一吸込口３及び第二吸込口１１と、吹出口４とを結ぶ通風路には、吸込まれた空気に含有される塵埃を除去するフィルタ７と、平行に並べられたフィンと同フィンに直交するように配設された伝熱管とからなる前方上部熱交換器５ａと前方下部熱交換器５ｂと後方上部熱交換器５ｃとで構成された逆Ｖ字状の熱交換器５と、同熱交換器５で冷媒と熱交換された空気を前記吹出口４から室内に送出する送風ファン６とが設けられている。
【００２３】
また、前方下部熱交換器５ｂの下部には、前方上部熱交換器５ａと前方下部熱交換器５ｂとから滴下する凝縮水を受け、これを貯留する前部露受皿８ａが設けられ、後方上部熱交換器５ｃの下部には、同後方上部熱交換器５ｃから滴下する凝縮水を受け、これを貯留する後部露受皿８ｂが設けられている。
【００２４】
送風ファン６と吹出口４とを結ぶ通風路には、吹出される風を左右方向に偏流させる図示しない複数の左右風向板が設けられ、その前面側には、回動自在に軸支された第一上下風向板９と、その下方となる位置に第二上下風向板１０とが設けられている。
【００２５】
第一上下風向板９の上端は延伸されて上端部９ａを形成しており、前面パネル２において吹出口４の上端部９ａに対応する部位には、上端部９ａの幅に合わせて段差部２ａが形成されており、同段差部２ａの上部には、前方に向けて開口した第二吸込口１１が設けられている。同第二吸込口１１は、運転停止時に、第一上下風向板９の上端部９ａにより覆われるようになっている
【００２６】
段差部２ａの上方には、第二吸込口１１から吸込まれた空気を案内する第二吸込口ガイド１ａが形成されており、同第二吸込口ガイド１ａは第二吸込口１１から第二吸込口用開口部１１ａまで緩やかなカーブを描いて形成されている。これにより、第二吸込口１１から吸込まれた空気は第二吸込口ガイド１ａを通り第二吸込口用開口部１１ａまで円滑に導びかれるようになっている。
【００２７】
また、段差部２ａは、第一上下風向板９の厚さ分だけ、内側に位置する部位に形成されており、これにより第一上下風向板９が吹出口４を閉じた際、前面パネル２と第一上下風向板９とは、滑らかな曲線で結ばれた同一面となり、また、第二吸込口１１の暗い穴が使用者の目に触れることがなくなり、空気調和機としての美観が高められるようになっている。
【００２８】
次に、冷房運転時あるいは除湿運転時の空気の流れについて説明する。冷房運転時あるいは除湿運転時においては、第一上下風向板９及び第二上下風向板１０は、図２に示すように、先端部が後端部よりやや低くなるように傾斜した、ほぼ水平の位置に回動されるようになっている。本体上面の第一吸込口３から吸込まれた空気は、図示はしていないが、主に前方上部熱交換器５ａと後方上部熱交換器５ｃとを通過して、これらを流れる冷媒と熱交換し、吹出口４から室内に吹出されるようになっている。また、本体前面下部の第二吸込口１１から吸込まれた室内の空気は、主に前方下部熱交換器５ｂを通過し冷媒と熱交換して、前方上部熱交換器５ａと後方上部熱交換器５ｃで冷媒と熱交換された空気と合流し、吹出口４から室内に吹出されるようになっている。これにより、熱交換器５に充分な空気量が通過し、充分な熱交換容量が確保できるようになっている。
【００２９】
また、第二吸込口１１から室内の空気を吸込む際、例えば、従来例に示したように、同第二吸込口１１を開閉するオープンパネルと、同オープンパネルの開閉機構と、同開閉機構を駆動するための駆動機構が不要となってコストが低減し、これら駆動機構等を設置するための本体前面のスペースも不要となって、本体前面のスリム化が図れ、ひいては本体の薄型化になる。また、第一上下風向板９の支軸９ｂは、上下風向板９の影になり視認できない吹出口４内部に位置することにより、本体の美観を損ねないようになっている。
【００３０】
暖房運転時においては、図３に示すように、第一上下風向板９及び第二上下風向板１０は、ほぼ垂直位置になるまで回動され、熱交換器５で冷媒と熱交換して加熱された空気を、室内の床面に向かい吹出すようになっている。また、冷房運転、除湿運転と同様に、第二吸込口１１から吸込まれた空気は、主に前方下部熱交換器５ｂを通過して冷媒と熱交換され、前方上部熱交換器５ａと後方上部熱交換器５ｃで冷媒と熱交換された空気と合流し、吹出口４から室内に吹出されることにより、熱交換器５で充分な空気量が通過し、熱交換容量が充分確保できるようになっている。
【００３１】
次に、熱交換器乾燥運転について説明する。熱交換器乾燥運転は、熱交換器５に冷媒を循環させることなく送風ファン６のみを運転させ、吹出口４から吹出した空気を第一吸込口３及び第二吸込口１１から吸入させ、熱交換器５を通過させ、乾燥させる運転である。
【００３２】
冷房運転終了時あるいは除湿運転終了時は、熱交換器５のフィン及び伝熱管表面に凝縮水が付着しており、時間の経過とともに付着した凝縮水により熱交換器５の表面に雑菌等が繁殖する虞があるが、風を熱交換器５に循環させることにより、熱交換器５の表面を乾燥させ、カビの発生や埃の付着を防止するようにしている。
【００３３】
熱交換器乾燥運転時には、図４に示すように、第一上下風向板９及び第二上下風向板１０は、小角度、回動して吹出口４を少許、開放するようになっている。吹出口４から吹出された熱交換されない風は、矢印で示すように、第一上下風向板９に沿って、同第一上下風向板９の上端部９ａまで流れ、上端部９ａと送風ファン６により流れを第二吸込口１１側へ偏流されて同第二吸込口１１に吸込まれるようになっている。
【実施例２】
【００３４】
次に、第二実施例について説明する。第二実施例は、図５で示すように、第一上下風向板９及び第二上下風向板１０が吹出口４を閉じた際に、第一上下風向板９と第二吸込口ガイド２ａとの間に、吹出口４と第二吸込口１１とを繋ぐ補助通風路１２を形成するようになっており、同補助通風路１２により送風ファン６から吹出口４の吹出路４ａに送出された空気は、第二吸込口１１に吸引することができるようになっている。これにより、上下風向板９を閉じた状態でも、熱交換器乾燥運転を効率よく行えるようになっている。
【実施例３】
【００３５】
次に、第三実施例について説明する。第一実施例及び第二実施例においては、上下風向板は第一上下風向板９及び第二上下風向板１０の２枚で構成されているが、これに限定されるものではなく、第三実施例においては、１枚で構成している。
【００３６】
空気調和機２０は、図６（Ａ）で示すように、吹出口２１に上下風向板２２単体を備えており、第一実施例と同様に、吹出口２１の上端には、吸込口を前方に向けた第二吸込口２３が形成されている。運転停止時、上下風向板２２は吹出口２１を閉じるとともに、第二吸込口２３を覆うようになっている。
【００３７】
冷房時、上下風向板２２は、ほぼ水平位置まで回動して、図６（Ｂ）に示すように、吹出口２１とともに第二吸込口２３を開放するようになっており、吹出口２１からは、冷気が上下風向板２２に案内されて吹出される一方、第二吸込口２３には室内の空気が吸引され、主に前面下部熱交換器２４ｂを通過して冷媒と熱交換されるようになっている。また、暖房時は、図６（Ｃ）に示すように、上下風向板２２は、ほぼ垂直位置になるまで回動され、吹出口２１から吹出される暖気を下方に案内する一方、第二吸込口２３には室内の空気が吸引され、主に前面下部熱交換器２４ｂを通過して冷媒と熱交換されるようになっている。これにより、上下風向板２２一枚を開閉する駆動機構だけで、吹出口２１と第二吸込口２３を閉じることができ、コストが低減できるようになっている。
【符号の説明】
【００３８】
１  ベース
１ａ  第二吸込口ガイド
２  前面パネル
２ａ  段差部
３  上面吸込口
４  吹出口
４ａ  吹出路
５  熱交換器
５ａ  前方上部熱交換器
５ｂ  前方下部熱交換器
５ｃ  後方上部熱交換器
６  送風ファン
７  フィルタ
８ａ  前部露受皿
８ｂ  後部露受皿
９  第一上下風向板
９ａ  上端部
９ｂ  支軸
１０  第二上下風向板
１１  第二吸込口
１１ａ  第二吸込口用開口部
１２  補助通風路
２０  空気調和機
２１  吹出口
２２  上下風向板
２３  第二吸込口
２４ｂ  前面下部熱交換器
【図１】
2011202896.tif 000003
【図２】
2011202896.tif 000004
【図３】
2011202896.tif 000005
【図４】
2011202896.tif 000006
【図５】
2011202896.tif 000007
【図６】
2011202896.tif 000008
【図７】
2011202896.tif 000009
【図８】
2011202896.tif 000010